(57)【要約】【課題】親機と子機のセットが変更された場合であっても、両機器のペアリングを容易に設定できるコードレス電話を提供する。【解決手段】コードレス電話１であって、親機１０と、親機１０とペアリングされる子機２０と、を備え、親機１０及び子機２０がそれぞれ自動登録制御部１２０，２２０を有し、親機１０及び子機２０の自動登録制御部１２０，２２０が実行され自動登録モードに設定されたとき、親機１０及び子機２０の通常識別コードが自動登録用識別コードに変更されて、自動登録用識別コードに基づき仮ペアリングとして接続され、子機２０が本登録用識別コードを保持した旨を親機１０へ通知し、親機１０及び子機２０が切断され、各々において自動登録用識別コードが本登録用識別コードへ変更され、親機１０及び子機２０が本登録用識別コードに基づき本ペアリングとして接続される。【選択図】図１
2018046469.tif 000002
【特許請求の範囲】
【請求項１】
コードレス電話であって、
親機と、
前記親機とペアリングされる子機と、を備え、
前記親機及び前記子機がそれぞれ自動登録制御部を有し、
前記親機及び前記子機の自動登録制御部が実行され自動登録モードに設定されたとき、
前記親機及び前記子機の通常識別コードが自動登録用識別コードに変更されて、前記自動登録用識別コードに基づき仮ペアリングとして接続され、
前記子機が本登録用識別コードを保持した旨を前記親機へ通知し、
前記親機及び前記子機が切断され、各々において前記自動登録用識別コードが前記本登録用識別コードへ変更され、
前記親機及び前記子機が前記本登録用識別コードに基づき本ペアリングとして接続されることを特徴とするコードレス電話。
【請求項２】
前記自動登録モードを実行するとき、前記親機及び前記子機が両機器間の通信において電波強度を通常モードよりも弱く管理されることを特徴とする請求項１に記載のコードレス電話。
【請求項３】
複数の子機から前記自動登録用識別コードを同時に受信したとき、前記親機が電波強度の強い子機との間で仮ペアリングを実行することを特徴とする請求項１に記載のコードレス電話。
【請求項４】
前記親機が、前記子機が仮ペアリング状態において、自動登録を実行した子機か否かを確認し、前記子機が自動登録を実行した子機である旨を応答してきた場合、本ペアリングするための前記本登録用識別コードを前記子機に通知することを特徴とする請求項１に記載のコードレス電話。
【請求項５】
前記親機が本ペアリングを実行した子機の固有情報を受信し登録することを特徴とする請求項１に記載のコードレス電話。
【発明の詳細な説明】
【技術分野】
【０００１】
本発明は、コードレス電話、特に、親機と子機の間のペアリングに関する。
【背景技術】
【０００２】
従来、無線機器間での通信を可能とするため、例えばＢｌｕｅｔｏｏｔｈ（登録商標）無線方式において、ユーザの操作によって接続させたい機器を選択することでペアリングする技術が知られている（例えば、特許文献１参照）。
【０００３】
特許文献１では、スレーブ側の通信機器から出力される１または複数の接続サービスの情報に係る信号を、マスター側の通信機器に送出する際に、その信号のオン／オフを所定周期で繰り返すようにし、マスター側の通信機器では、探索により検出した１または複数のスレーブ側の通信機器の情報が、その接続サービスの情報と共に、ディスプレイ上にリスト表示され、この際、ペアリングするスレーブ側の通信機器からのサービス情報に係る信号はオン／オフ制御されているので、リスト上の対応表示は点滅することとなり、これによってユーザはペアリングしようとしている目的の通信機器を、他の通信機器と容易に識別できる。
【０００４】
これに対し、近年、コードレス電話に採用されることが多いＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）方式では、特許文献１のようなＢｌｕｅｔｏｏｔｈ（登録商標）方式とは異なり、出荷時に、親機と子機に同じｐｉｎ（ｐｅｒｓｏｎａｌ  ｉｄｅｎｔｉｆｉｃａｔｉｏｎ  ｎｕｍｂｅｒ）コードを設定することでペアリングされる。
【０００５】
しかしながら、ｐｉｎコードはユーザに公開されていないため、ユーザ自身によって設定することができなかった。これにより、コードレス電話の親機が正常であって子機だけが故障したとき、親機と子機をセットで交換した場合には、ユーザは、修理費用を多額に要するという問題があった。一方、子機のみを新たなものに交換した場合には、ユーザは、ペアリングの設定を一から入力する必要が生じるが、修理店においても、ｐｉｎコードを手動で入力するため煩雑となるという問題があった。
【先行技術文献】
【特許文献】
【０００６】
【特許文献１】特開２０１３−１２６０９２号公報
【発明の概要】
【発明が解決しようとする課題】
【０００７】
本発明は、親機と子機のセットが変更された場合であっても、両機器のペアリングを容易に設定できるコードレス電話を提供する。
【課題を解決するための手段】
【０００８】
（１）本発明に係る１つの観点は、コードレス電話であって、親機と、前記親機とペアリングされる子機と、を備え、前記親機及び前記子機がそれぞれ自動登録制御部を有し、前記親機及び前記子機の自動登録制御部が実行され自動登録モードに設定されたとき、前記親機及び前記子機の通常識別コードが自動登録用識別コードに変更されて、前記自動登録用識別コードに基づき仮ペアリングとして接続され、前記子機が本登録用識別コードを保持した旨を前記親機へ通知し、前記親機及び前記子機が切断され、各々において前記自動登録用識別コードが前記本登録用識別コードへ変更され、前記親機及び前記子機が前記本登録用識別コードに基づき本ペアリングとして接続されることを特徴とする。
【０００９】
（２）上記（１）に記載の構成において、前記自動登録モードを実行するとき、前記親機及び前記子機が両機器間の通信において電波強度を通常モードよりも弱く管理される。
【００１０】
（３）上記（１）に記載の構成において、複数の子機から前記自動登録用識別コードを同時に受信したとき、前記親機が電波強度の強い子機との間で仮ペアリングを実行する。
【００１１】
（４）上記（１）に記載の構成において、前記親機が、前記子機が仮ペアリング状態において、自動登録を実行した子機か否かを確認し、前記子機が自動登録を実行した子機である旨を応答してきた場合、本ペアリングするための前記本登録用識別コードを前記子機に通知する。
【００１２】
（５）上記（１）に記載の構成において、前記親機が本ペアリングを実行した子機の固有情報を受信し登録する。
【発明の効果】
【００１３】
本発明によれば、親機と子機のセットが変更された場合であっても、両機器のペアリングを容易に設定できるコードレス電話を提供できる。
【図面の簡単な説明】
【００１４】
【図１】本発明の実施形態に係るコードレス電話の親機の構造を説明する図である。
【図２】本発明の実施形態に係るコードレス電話の子機の構造を説明する図である。
【図３】本発明の実施形態に係るコードレス電話において、ペアリングに関する基本シーケンスを示す図である。
【図４】本発明の実施形態に係るコードレス電話において、子機が自動登録していない場合のシーケンスを示す図である。
【図５】本発明の実施形態に係るコードレス電話において、親機が他の子機の固有情報をもつ場合のシーケンスを示す図である。
【発明を実施するための形態】
【００１５】
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１６】
（コードレス電話の構成）
まず、図１及び図２を参照して、コードレス電話１を構成する親機１０と子機２０について、説明する。
【００１７】
（親機）
親機１０は、メイン制御部１１０と、無線モジュール１６０（ドライバ）を備えている。メイン制御部１１０は、自動登録制御部１２０と、ＰＢＸ（Ｐｒｉｖａｔｅ  Ｂｒａｎｃｈ  ｅＸｃｈａｎｇｅ：構内交換機）向け制御部１３０と、共通メモリ１４０と、無線モジュール制御部１５０を備えている。
【００１８】
自動登録制御部１２０は、自動登録モードを制御するものであり、ＰＢＸ向け制御部１３０は、通常モードを制御する（通常運用）ものである。自動登録制御部１２０は、電波強度の制御、自動登録用ｐｉｎコード（識別コード）の設定、自動登録データの送受信を行い、これらの情報は、無線モジュール制御部１５０を介して、無線モジュール１６０から子機２０へ通信される。一方、ＰＢＸ向け制御部１３０は、通常運用のデータの送受信、通常運用のｐｉｎコードの設定を行い、これらの情報は、やはり、無線モジュール制御部１５０を介して、無線モジュール１６０から子機２０へ通信される。
【００１９】
自動登録制御部１２０は、自動登録状態管理部１２１と、これによって制御指示される、電波強度管理部１２２、ｐｉｎコード管理部１２３、送受信解析部１２４を備える。電波強度管理部１２２は、親機１０と子機２０の間の通信において電波強度を管理し、自動登録モードになった際の電波強度を弱く調整することにより、誤登録や不正登録を防止する。ｐｉｎコード管理部１２３は、自動登録用ｐｉｎコードの設定を行う。送受信解析部１２４は、自動登録データの送受信を解析し、複数の子機２０から自動登録用ｐｉｎコードを同時に受信したときは、電波強度の強い子機２０との間で仮ペアリングを実行する。
【００２０】
ＰＢＸ向け制御部１３０は、メニュー制御部１３１を備えており、メニュー制御部１３１には、自動登録メニュー、子機情報削除メニューが設定されている。ユーザの操作によって、ＰＢＸ向け制御部１３０のメニュー制御部１３１において自動登録メニューが実行されると、ＰＢＸ向け制御部１３０から自動登録制御部１２０の自動登録状態管理部１２１へ、動作の制御が移管される。そして、自動登録が完了（成功又は失敗）すると、自動登録状態管理部１２１からＰＢＸ向け制御部１３０へ、動作の制御が移管される。
【００２１】
子機２０が仮ペアリング状態において、親機１０は、自動登録を実行した子機か否かを確認し、子機２０が自動登録を実行した子機である旨を応答してきた場合、本ペアリングするための本登録用識別コードを子機２０に通知する。
【００２２】
また、ユーザの操作によって、ＰＢＸ向け制御部１３０のメニュー制御部１３１において子機情報削除メニューが実行されると、子機２０についての固有情報が共通メモリ１４０から削除される。この子機情報削除メニューにより、自動登録の対象としない子機２０についての固有情報を削除することができる。
【００２３】
共通メモリ１４０には、新たに本ペアリングを実行した子機２０の固有情報を新たに保存することもでき、保存された固有情報により、親機１０は、その後において、自動登録の操作が可能な子機２０であるかどうかを判定することが可能となる。
【００２４】
（子機）
子機２０は、メイン制御部２１０と、無線モジュール２６０（ドライバ）を備えている。メイン制御部２１０は、自動登録制御部２２０と、ＰＢＸ（Ｐｒｉｖａｔｅ  Ｂｒａｎｃｈ  ｅＸｃｈａｎｇｅ：構内交換機）向け制御部２３０と、無線モジュール制御部２５０を備えている。
【００２５】
自動登録制御部２２０は、自動登録モードを制御するものであり、ＰＢＸ向け制御部２３０は、通常モードを制御する（通常運用）ものである。自動登録制御部２２０は、電波強度の制御、自動登録用ｐｉｎコードの設定、自動登録データの送受信を行い、これらの情報は、無線モジュール制御部２５０を介して、無線モジュール２６０から親機１０へ通信される。一方、ＰＢＸ向け制御部２３０は、通常運用のデータの送受信、通常運用のｐｉｎコードの設定を行い、これらの情報は、やはり、無線モジュール制御部２５０を介して、無線モジュール２６０から親機１０へ通信される。
【００２６】
自動登録制御部２２０は、自動登録状態管理部２２１と、これによって制御指示される、電波強度管理部２２２、ｐｉｎコード管理部２２３、送受信解析部２２４を備える。電波強度管理部２２２は、親機１０と子機２０の間の通信において電波強度を管理し、自動登録モードになった際の電波強度を弱く調整することにより、誤登録や不正登録を防止する。ｐｉｎコード管理部２２３は、自動登録用ｐｉｎコードの設定を行い、送受信解析部２２４は、自動登録データの送受信を解析する。
【００２７】
ＰＢＸ向け制御部２３０は、メニュー制御部２３１を備えており、メニュー制御部２３１には、自動登録メニューが設定されている。ユーザの操作によって、ＰＢＸ向け制御部２３０のメニュー制御部２３１において自動登録メニューが実行されると、ＰＢＸ向け制御部２３０から自動登録制御部２２０の自動登録状態管理部２２１へ、動作の制御が移管される。そして、自動登録が完了（成功又は失敗）すると、自動登録状態管理部２２１からＰＢＸ向け制御部２３０へ、動作の制御が移管される。
【００２８】
子機２０は、親機１０に対して１対１である必要はなく、１台の親機１０に対して複数の子機２０を接続することができる。本実施形態では、上記のような構成を有する子機２０をユーザが許容台数分の子機２０を容易に増設することができる。
【００２９】
（コードレス電話の動作）
次に、図３から図５を参照して、コードレス電話１の動作として、親機１０と子機２０のペアリングに関するシーケンスを説明する。
【００３０】
（基本シーケンス）
図３は、ペアリングに関する基本シーケンスを示している。まず、ユーザの操作により、親機１０について、通常モードから自動登録モードへの変更を実行する（Ｓ１０）とともに、子機２０についても、同様に自動登録モードを実行する（Ｓ１１）。親機１０は、まず、他の子機２０の固有情報を有しているか否かを確認する（Ｓ１２）。他の子機２０の固有情報を有している場合は自動登録が失敗することとなるが、その場合のシーケンスは、後述する図５のシーケンスに引き継がれる。
【００３１】
他の子機２０の固有情報を有していない場合、親機１０は、自らのｐｉｎコード（通常コード）を自動登録用ｐｉｎコードに変更する（Ｓ１３）。他方、自動登録をしようとする子機２０は、自動登録モードの実行により、自らのｐｉｎコードを自動登録用ｐｉｎコードに変更する（Ｓ１４）。
【００３２】
この状態で、親機１０と子機２０は、公知の接続シーケンスによって仮ペアリングとして接続される（Ｓ１５）。そして、親機１０は、子機２０に対し、自動登録すべき、かつ、自動登録可能な端末であるかどうかを確認し（Ｓ１６）、子機２０は、親機１０に対し、自動登録すべき、かつ、自動登録可能な端末であることを通知する（Ｓ１７）。
【００３３】
子機２０が自動登録の対象である端末であることを確認した親機１０は、子機２０に対し、本登録用ｐｉｎコードを通知する（Ｓ１８）。子機２０は、通知された本登録用ｐｉｎコードを保持するとともに（Ｓ１９）、親機１０に対し、子機２０に本登録用ｐｉｎコードが追加された旨を通知する（Ｓ２０）。
【００３４】
ここで、親機１０と子機２０は、公知の切断シーケンスによって切断される（Ｓ２１）。そして、親機１０は自らの自動登録用ｐｉｎコードを本登録用ｐｉｎコードに変更し（Ｓ２２）、子機２０は同様に自らの自動登録用ｐｉｎコードを本登録用ｐｉｎコードに変更する（Ｓ２３）。両機器の変更が行われた後、親機１０と子機２０は、公知の接続シーケンスによって本ペアリングとして接続される（Ｓ２４）。これにより、接続が完了する（Ｓ２５）。
【００３５】
接続完了後、子機２０は、親機１０に対し、自らの固有情報を親機１０に通知し（Ｓ２６）、親機１０は、自動登録の操作が可能か否かを判定するための情報として、子機２０を登録した時に、子機２０の固有情報を保持する（Ｓ２７）。
【００３６】
（子機が自動登録していない場合のシーケンス）
図４は、親機１０が自動登録モードを有し、子機２０が自動登録モードを有しない場合のシーケンスを示す図である。まず、ユーザが、親機１０について自動登録モードを実行する（Ｓ３０）。親機１０は、自らのｐｉｎコード（通常コード）を自動登録用ｐｉｎコードに変更する（Ｓ３１）。他方、子機２０は、自らのｐｉｎコードを自動登録用ｐｉｎコードに指定する（Ｓ３２）。ここで、子機２０における自動登録用ｐｉｎコードの指定とは、意図的又は偶発的にｐｉｎコードが自動登録用ｐｉｎコードと一致した場合を意味している。
【００３７】
この状態で、親機１０と子機２０は、公知の接続シーケンスによって仮ペアリングとして接続される（Ｓ３３）。そして、親機１０は、子機２０に対し、自動登録すべき、かつ、自動登録可能な端末であるかどうかを確認する（Ｓ３４）。
【００３８】
この場合、子機２０から親機１０への応答がなされないことから、親機１０は、子機２０が自動登録の対象である端末ではないと判断し、子機２０に対し、本登録用ｐｉｎコードを通知しない（Ｓ３５）。
【００３９】
ここで、親機１０と子機２０は、公知の切断シーケンスによって切断される（Ｓ３６）。そして、親機１０は自らの自動登録用ｐｉｎコードを本登録用ｐｉｎコードに変更する（Ｓ３７）。これにより、親機１０と子機２０は、公知の接続シーケンスによって接続しようとしても、ｐｉｎコードが親機１０と子機２０の間で不一致であることから、接続は失敗することとなる（Ｓ３８）。
【００４０】
（親機が他の子機の固有情報を有している場合のシーケンス）
図５は、親機１０が他の子機２０の固有情報を有している場合のシーケンスを示している。前述したとおり、ユーザの操作により、親機１０について自動登録モードを実行する（Ｓ４０）とともに、子機２０について自動登録モードを実行した（Ｓ４１）とき、親機１０は、まず、他の子機２０の固有情報を有しているか否かを確認し（Ｓ４２）、他の子機２０の固有情報を有している場合は自動登録が失敗することとなる（Ｓ４３）。
【００４１】
このとき、親機１０に、他の子機２０の固有情報を削除するか否かの選択情報がユーザに対して通知され、ユーザがその選択により削除の操作を行う（Ｓ４５）。そうすると、親機１０に記録されていた他の子機２０の固有情報が削除される（Ｓ４６）。
【００４２】
この状態で、あらためて、ユーザの操作により、親機１０について自動登録モードを実行する（Ｓ４７）。その後、さらに他の子機２０の固有情報があるかないかを確認し（Ｓ４８）、固有情報がなければ、図３に示した基本シーケンスが実行される（Ｓ４９）。なお、さらに他の子機２０の固有情報があれば、シーケンスＳ４３からＳ４７を繰り返す。
【００４３】
（実施形態の効果）
本実施形態は、上記のような構成及び動作を有していることから、親機１０と子機２０のセットが変更された場合であっても、両機器のペアリングを容易に設定できるコードレス電話１を提供できる。より詳しくは、次のような効果を奏する。すなわち、本実施形態に係るコードレス電話１は、一時的な共通の接続情報（自動登録用ｐｉｎコード）を用いて親機１０と子機２０の間の接続情報設定の簡略化を図るため、例えば、無線暗号化設定の簡略化を図る場合には必要となる親機１０の固有情報が不知でも、ペアリングを実行することができる。また、無線暗号化設定の簡略化を図る場合には必要となるＳＳＩＤ（Ｓｅｒｖｉｃｅ  Ｓｅｔ  Ｉｄｅｎｔｉｆｉｅｒ）やＡＣＬ（Ａｃｃｅｓｓ  Ｃｏｎｔｒｏｌ  Ｌｉｓｔ）の解除などの手順を踏まなくても、ペアリングを実行することができる。
【００４４】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００４５】
１…コードレス電話
１０…親機
１１０…メイン制御部
１２０…自動登録制御部
１２１…自動登録状態管理部
１２２…電波強度管理部
１２３…ｐｉｎコード管理部
１２４…送受信解析部
１３０…ＰＢＸ向け制御部
１３１…メニュー制御部
１４０…共通メモリ
１５０…無線モジュール制御部
１６０…無線モジュール
２０…子機
２１０…メイン制御部
２２０…自動登録制御部
２２１…自動登録状態管理部
２２２…電波強度管理部
２２３…ｐｉｎコード管理部
２２４…送受信解析部
２３０…ＰＢＸ向け制御部
２３１…メニュー制御部
２５０…無線モジュール制御部
２６０…無線モジュール
【図１】
2018046469.tif 000003
【図２】
2018046469.tif 000004
【図３】
2018046469.tif 000005
【図４】
2018046469.tif 000006
【図５】
2018046469.tif 000007